(57)【要約】      （修正有）【課題】関連する多くの大小書類を系統別に収納保管することのできる健康，生活ファイルを提供する。【解決手段】背帯面１ｃを挟んで折畳み展開自在とする両側の化粧表紙１ａの内面に、取付代２と深浅の折り代３を有す２枚以上のシート４、５と折り代のないシート６より複数枚づつ選択して重ねてウェルダー加工することによりそれぞれの化粧表紙の内面に深いマチ付きポケットと浅いマチ付きポケットおよびマチなしポケット９を組合わせ自在に複数個重ね付け、且つ前記背帯面の内面に袋体を複数枚においてウェルダー綴じ可能としたことを特徴とする。【選択図】図３
0003140098.tif 000002
【実用新案登録請求の範囲】
【請求項１】
背帯面を挟んで折畳み展開自在とする両側の化粧表紙の内面に、取付代と深浅の折り代を有す２枚以上のシートと折り代のないシートより複数枚づつ選択して重ねてウェルダー加工することによりそれぞれの化粧表紙の内面に深いマチ付きポケットと浅いマチ付きポケットおよびマチなしポケットを組合わせ自在に複数個重ね付け、且つ前記背帯面の内面に袋体を複数枚においてウェルダー綴じ可能としたことを特徴とする健康，生活ファイル。
【請求項２】
ポケット，袋体は上下に分けるなど大小各種において形成する請求項１に記載の健康，生活ファイル。
【考案の詳細な説明】
【技術分野】
【０００１】
この考案は預保険証書，医療関係の書類資料および各種の保存用書類，カードなどを系統別に収容保管し得て、しかもポケット，袋体をウェルダー加工により剥離，抜け落ちしないように強化した健康，生活ファイルに関するものである。
【背景技術】
【０００２】
この種のファイルとして特開平９−６６６９０号公報がある。該公報は左右一対の表紙の内側に厚みが大小するポケットを１枚づつ取付ける。ということを記載している。
【特許文献１】特開平９−６６６９０号公報
【考案の開示】
【考案が解決しようとする課題】
【０００３】
しかしながら、左右にポケットを１枚づつ設けているのみでは、厚みが大小するとしても書類，カード類の収容量がごく少量に限られるという課題がある。分野別等に集約して保管することもできないという課題がある。
また、ポケットが１枚では関連する多くの大小書類を取出しやすく収納し保管することもできないという課題がある。
【課題を解決するための手段】
【０００４】
本考案は、背帯面を挟んで折畳み展開自在とする両側の化粧表紙のそれぞれの内面に、深いマチ付きポケットと浅いマチ付きポケットとマチなしポケットを組合わせ自在において複数個を重ね付け、さらに該背帯面の内面に複数枚の袋体の内端をウェルダー綴じ可能にして、預保険証書，医療関係の書類，一般書類，カードなどを系統別に収容保管するようにして、かかる課題を解消したのである。
【考案の効果】
【０００５】
本考案は、両化粧表紙の内面に新規のウェルダー加工により２個以上の深浅のマチを有すポケットとマチなしポケットとを組合わせ自在において重ね付けするとともにその内側に複数枚の袋体を綴じることを可能にしたので、書類，カード類を多数収容することができ、特に関連するけれども種類の異なる多くの書類を系統別に仕分け保管することができることとなるので、混乱，紛失等を防止することができるという効果を生ずる。
【０００６】
深浅に大きさの異なるマチ付きポケットはマチの外側に伸びる取付代をウェルダー加工により表紙の内面に接着することで、複数個を自在に重ね付けすることができるという効果を生ずる。また、ウェルダー加工によりポケット，袋体の取付けが強化されてみだりに剥離，抜け落ちしないという効果を生ずる。
【０００７】
ポケット，袋体を大小に区別することで書類，カードに適した出し入れが可能になるという効果を生ずる。
【考案を実施するための最良の形態】
【０００８】
本考案は、取付代となる外周端の内側に深浅の折り代を両側と底面に設けるポリプロピレンシートと折り代のないポリプロピレンシートの２種より任意に複数枚を選択して重ねて両側の化粧表紙の内面にウェルダー加工により一体接着して両表紙の内面に深浅のマチ付きポケットとマチなしポケットを複数個重ね付けして、健康，生活ファイルとするのである。なお複数枚の袋体を背帯面の内面にウェルダー綴じして、収容量の多い健康，生活ファイルにすることもできる。
【実施例１】
【０００９】
図１乃至図２は第１実施例であって、Ａ４大の化粧表紙１ａの内面に取付代２とその内側に深，浅のマチ形成用の折り代３を設けたＡ４形の２枚のシート４，５と外端を取付代２とする扁平シート６とを重ね、また他方の同形の化粧表紙１ｂの内面に上記のＡ４形のシート５，６を重ね、各取付代２をウェルダー加工により両表紙１ａ，１ｂの内面に一体接着して一面に深浅のマチ付きポケット７，８と、マチなしポケット９とを重ね付け、他面にマチ付きポケット７とマチなしポケット９を重ね付け、さらに背帯面１ｃの内面に複数枚の袋体１０の内端をウェルダー接着して、以って図１に示す部厚で収容量の多い健康，生活ファイル１１とした例を示している。１ｄは化粧表紙の１ａ，１ｂの内面に接着するウェルダー加工に適した全面シートである。
【００１０】
深浅のマチ付きポケット７，８は図２に示すように外端の取付代２の内側に大小の折り代３を設けて、外端の取付代２をウェルダー加工にて一体に接着することで深浅にて形成されることとなる。各ポケット７乃至９はそれぞれが独立してそれぞれの内部に系統別にして書類，カード類を収容することができることとなる。同じ面に３個のポケットを設けるときは、一緒に保存しておきたい関連書類を仕訳してそれぞれのポケットに整理収納することができて、必要の際の書類の取り出しを容易にすることとなる。
【００１１】
記憶が定かでなくても系統のポケット，袋体内を探すことで所望の書類，カードなどを素早く取出すことができることとなる。
【実施例２】
【００１２】
図３は第２実施例を示すもので、マチなしポケット９をＡ４版用の大きさにして折り蓋１２を設け、深浅のマチ付きポケット７，８を下半サイズの小型にして、重ね付けしたものである。マチ付きポケット７，８を小型にしたことで小さな書類の収納と取出しが容易になる。
【実施例３】
【００１３】
図４は化粧表紙１ａの内面にＡ４版を４分割した大きさのマチ付きハガキ入れポケット１３を取付け、他方の化粧表紙１ｂの内面に領収書，書類入れポケットとして折り蓋１２付きのＡ４マチなしポケット９を取付け、その下半にマチ付きポケット７を重ね付けしてファイル１１を形成している。
【実施例４】
【００１４】
図５は化粧表紙１ａの内面に８個の診察券等用の区分ポケット１４を取付けたほかは前例と同じである。
【産業上の利用可能性】
【００１５】
本考案は、預保険証書，医療関係の書類，カードなどを系統別に収納保存し得る健康ファイル，生活ファイルとして広く利用することができるものである。
【図面の簡単な説明】
【００１６】
【図１】第１実施例を示し、健康，生活ファイルを折畳み状態にて示す斜視図
【図２】（ａ）は両表紙の内面に折り代を有すシートと折り代のないシートをウェルダー加工する前の状態にて示す平面図、（ｂ）は同、ウェルダー加工の接着にてマチ付きポケットとマチなしポケットが形成された状態を示す平面図
【図３】第２実施例を展開した状態にて示す斜視図
【図４】第３実施例を展開した状態にて示す斜視図
【図５】第４実施例を展開した状態にて示す斜視図
【符号の説明】
【００１７】
１ａは化粧表紙
１ｂは裏表紙
１ｃは背帯面
１ｄは全面シート
２は取付代
３は折り代
４，５は折り代を設けたシート
６は扁平シート
７，８はマチ付きポケット
９はマチなしポケット
１０ａは袋体
１１は健康ファイル，生活ファイル
１２は折り蓋
１３はマチ付きハガキ入れポケット
１４は区分ポケット
【図１】
0003140098.tif 000003
【図２】
0003140098.tif 000004
【図３】
0003140098.tif 000005
【図４】
0003140098.tif 000006
【図５】
0003140098.tif 000007